Podtech/llm-jp-corpus-v4-ja_patent huggingface dataset:
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
医療ビューイングシステムにおいて、
可変視野角からライブＸ線画像を提供するＸ線画像取得装置と、
ライブ超音波画像を提供する超音波プローブを持つ心エコー撮像装置と、
前記Ｘ線画像取得装置及び前記心エコー撮像装置に接続された処理ユニットと、
を有し、
前記医療ビューイングシステムが、２つの異なる視野角において前記超音波プローブのＸ線蛍光透視画像の第１のセットを取得し、
前記処理ユニットが、
前記Ｘ線蛍光透視画像の第１のセットに基づいてライブ心エコー画像及びライブＸ線画像を位置合わせし、
前記Ｘ線画像取得装置により取得されたＸ線後続ライブ画像において特徴的フィーチャのセットの位置を特定し、
前記特徴的フィーチャの特定された位置にマッチするようにマーカのセットを確立し、
前記Ｘ線画像取得装置の最適な視野角を決定し、前記最適な視野角において前記マーカのセットのマーカがＸ線視野において所定の関係を有する、
医療ビューイングシステム。
【請求項２】
前記特徴的フィーチャのセットが、尖底を有する、
請求項１に記載の医療ビューイングシステム。
【請求項３】
前記特徴的フィーチャのセットの位置を特定することが、オペレータにより与えられたマーカの予備セットの周りで心エコー画像又はＸ線画像における前記特徴的フィーチャのセットの位置を認識することを有し、
前記処理ユニットが、前記認識された位置によって前記マーカの予備セットを調節する、
請求項１乃至２のいずれか一項に記載の医療ビューイングシステム。
【請求項４】
前記処理ユニットが、前記Ｘ線後続ライブ画像の中心領域において前記特徴的フィーチャを認識する、
請求項１乃至３のいずれか一項に記載の医療ビューイングシステム。
【請求項５】
前記処理ユニットが、前記マーカのセットを形成するために少なくとも１つの関心器官の三次元モデルから前記特徴的フィーチャのセットの位置を抽出する、
請求項１に記載の医療ビューイングシステム。
【請求項６】
前記処理ユニットが、保存された又はライブの大動脈造影画像が前記処理ユニットにより受信されると当該画像において自然器官を自動的にフィッティングする、
請求項５に記載の医療ビューイングシステム。
【請求項７】
医療画像を提供する方法において、前記方法が、
Ｘ線画像取得装置を用いて２つの異なる視野角において心エコー撮像装置の超音波プローブのＸ線蛍光透視画像の第１のセットを取得するステップと、
処理ユニットを用いて前記Ｘ線蛍光透視画像の第１のセットに基づいてライブ心エコー画像及びライブＸ線画像を位置合わせするステップと、
前記Ｘ線画像取得装置により取得されたＸ線後続ライブ画像において特徴的フィーチャのセットの位置を特定するステップと、
前記特徴的フィーチャのセットの特定された位置にマッチするようにマーカのセットを確立するステップと、
前記Ｘ線画像取得装置の最適な視野角を決定するステップであって、前記最適な視野角において前記マーカのセットのマーカがＸ線視野において所定の関係を有する、ステップと、
を有する方法。
【請求項８】
前記Ｘ線後続ライブ画像において特徴的フィーチャのセットの位置を特定するステップが、尖底を位置特定するステップを有する、
請求項７に記載の方法。
【請求項９】
オペレータにより与えられたマーカの予備セットの周りで前記ライブ心エコー画像又は前記Ｘ線後続ライブ画像における前記特徴的フィーチャのセットの位置を認識するステップと、
前記認識された位置によって前記マーカの予備セットを調節するステップと、
を有する、請求項７又は８に記載の方法。
【請求項１０】
前記特徴的フィーチャのセットの位置を認識するステップが、前記Ｘ線後続ライブ画像の中心領域において行われる、
請求項７乃至９のいずれか一項に記載の方法。
【請求項１１】
前記マーカのセットを形成するために少なくとも１つの関心器官の三次元モデルから前記特徴的フィーチャのセットの位置を抽出するステップ、
を有する、請求項７に記載の方法。
【請求項１２】
保存された又はライブの大動脈造影画像が前記処理ユニットにより受信されると当該画像において自然器官を自動的にフィッティングするステップ、
を有する、請求項１１に記載の方法。
【請求項１３】
処理ユニットにより実行される場合に、請求項７乃至１２のいずれか一項に記載の方法のステップを実行する、請求項１乃至６のいずれか一項に記載の医療ビューイングシステムを制御するコンピュータプログラム。
【請求項１４】
請求項１３に記載のコンピュータプログラムを記憶したコンピュータ可読媒体。
【手続補正書】
【提出日】平成29年10月20日(2017.10.20)
【手続補正１】
【補正対象書類名】明細書
【補正対象項目名】０００４
【補正方法】変更
【補正の内容】
【０００４】
一観点において、本発明は、病原体に感染している疑いのある対象から得られた生物学的サンプル中に存在する感染性病原体及び毒素の広い範囲を濃縮するためのインビトロの方法を提供する。方法は、（ａ）吸着媒体（adsorption media）と病原体とを含む接着性複合体（adhering complex）を形成する条件下で、対象から得られた生物学的サンプルを広範囲の吸着媒体（broad-spectrum adsorption media）に接触させることと；（ｂ）例えば、バッファ溶液を用いて接着性複合体を洗浄することにより、前記複合体を維持しながら、前記複合体中に含まれないサンプルの成分から接着性複合体を分離することと；（ｄ）溶出バッファを前記複合体に適用することにより、接着性複合体の病原体を回収し、それにより、溶出液（eluent）中の感染性病原体を濃縮することとを含む。いくつかの実施態様において、方法は、単離された感染性病原体を検出することをさらに含む。いくつかの例では、単離された感染性病原体を検出することは、比色アッセイ、イムノアッセイ、酵素結合免疫吸着アッセイ（ＥＬＩＳＡ）、ＰＣＲベースアッセイ、任意の染色による病原体増殖アッセイ、又はそれらの組み合わせを含む。
【手続補正２】
【補正対象書類名】明細書
【補正対象項目名】００２２
【補正方法】変更
【補正の内容】
【００２２】
第４の観点において、本発明は、対象が感染性病原体に感染していることを決定するためのインビトロの方法を提供する。方法は、（ａ）対象から得られた全血サンプルを吸着媒体と接触させて、サンプル中に存在する病原体と吸着媒体とを含む接着性複合体を形成することと；（ｂ）吸着媒体に対する物理的変化を検出することにより接着性複合体の存在を決定することと；（ｃ）対照サンプルと接触している参照吸着媒体と比較した吸着媒体の物理的変化に基づいて、対象が感染性病原体に感染していることを予測することとを含む。いくつかの実施態様において、方法は、対照サンプルと接触している参照媒体に対する物理的変化の標準曲線を生成することをさらに含む。
【手続補正３】
【補正対象書類名】明細書
【補正対象項目名】００３１
【補正方法】変更
【補正の内容】
【００３１】
本発明は、感染症検出及び診断方法を提供する。有利には、本発明は、感染の早期検出に使用されることができる患者サンプルから細菌、ウイルス、及び他の病原体（例えばパラサイト）を単離するために使用されることができる。本発明の別の観点では、分析物検出アッセイを妨害する可能性のある細胞及びその他の非分析物が、本明細書において記載される吸着媒体を使用して、サンプルから取り除かれることができる。
【手続補正４】
【補正対象書類名】明細書
【補正対象項目名】００５５
【補正方法】変更
【補正の内容】
【００５５】
《Ｂ．多糖類吸着剤》
いくつかの実施態様において、多糖類吸着剤は、ヘパリン、ヘパランサルフェート、マンノース、デキストランサルフェート、ヒアルロン酸、シアル酸、キトサン、及びそれらの組み合わせである。いくつかの例では、１つ以上の異なる多糖類吸着剤が、例えば、１、２、３、４、５又はそれ以上の異なる多糖類吸着剤が、吸着媒体の固体基材に結合する。いくつかの実施態様では、吸着剤はヘパリンである。いくつかの実施態様では、吸着剤は、ヘパランサルフェートである。他の実施態様では、吸着剤はマンノースである。別の実施態様では、吸着剤はデキストランサルフェートである。いくつかの例では、多糖類吸着剤は、ヘパリン及びマンノースである。いくつかの例では、多糖類吸着剤は、ヘパランサルフェート及びマンノースである。他の例では、多糖類吸着剤は、ヘパリン及びデキストランサルフェートである。さらに他の例においては、多糖類吸着剤は、マンノース及びデキストランサルフェートである。
【手続補正５】
【補正対象書類名】明細書
【補正対象項目名】００５６
【補正方法】変更
【補正の内容】
【００５６】
いくつかの実施態様では、１つより多い吸着剤、例えば、２つの吸着剤が、単一の固体基材に結合している。いくつかの例では、２つの吸着剤（Ａ及びＢ）の比率は、１：９９〜９９：１の範囲である。他の実施態様では、基材は、吸着剤Ａの約１〜５０％と吸着剤Ｂの約１〜５０％とで被覆されている。
【手続補正６】
【補正対象書類名】明細書
【補正対象項目名】００６５
【補正方法】変更
【補正の内容】
【００６５】
固体基材への炭水化物（例えば、多糖類）の共有結合は、非共有結合と比較して、パラメータ、例えば、固定された分子の表面密度及び配向性の制御を提供する。これらのパラメータは、固定された炭水化物分子に結合する吸着質（adsorbate）を提供することが示されている。特定の実施態様では、固体基材上の炭水化物の表面濃度は、０．０１〜約０．５μｇ/ｃｍ２の範囲、例えば、０．０１、０．０２、０．０３、０．０４、０．０５、０．０６、０．０７、０．０８、０．０９、０．１、０.１１、０．１２、０．１３、０．１４、０．１５、０．１６、０．１７、０．１８、０．１９、又は０．２μｇ/ｃｍ２である。他の実施態様では、固体基材上の吸着剤の表面濃度は、０．００１〜約２．０μｇ/ｃｍ２の範囲である。別の実施態様では、固体基材上の吸着剤の表面濃度は、０．００５〜約０．５μｇ/ｃｍ２の範囲である。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
非微生物宿主からの無細胞核酸を含むサンプルにおける微生物配列の存在を決定する方法であって、
（ｉ）前記非微生物宿主からの無細胞核酸を含むサンプルを準備し、
（ｉｉ）前記核酸のハイスループット配列決定を行い、
（ｉｉｉ）バイオインフォマティクス分析を行って、無細胞核酸を含む前記サンプル中の特定の微生物配列を特定し、ここで、前記特定の微生物配列は、ウイルス粒子内に含まれていない無細胞核酸を含み、
（ｉｖ）前記非微生物宿主のミクロビオームの成分を評価するために前記微生物配列の存在を決定することを含む方法。
【請求項２】
複数のミクロビオームの存在を決定する、請求項１記載の方法。
【請求項３】
不偏性方法により生成された核酸サンプルに関してハイスループット配列決定を行う、請求項１記載の方法。
【請求項４】
少なくとも１０６個の配列読取りを行う、請求項１記載の方法。
【請求項５】
工程（ｉｖ）が、微生物参照配列に位置づけられる配列の被覆率を宿主参照配列の被覆率と比較することを含む、請求項１記載の方法。
【請求項６】
工程（ｉｉｉ）が、参照宿主配列を特定し、参照宿主ゲノム内に存在する微生物配列または微生物擬態配列をマスクすることを含む、請求項１記載の方法。
【請求項７】
工程（ｉｉｉ）が、参照微生物配列を特定し、参照微生物ゲノム内に存在する宿主配列または宿主擬態配列をマスクすることを含む、請求項１記載の方法。
【請求項８】
１以上の病原性微生物の存在を確認する、請求項１記載の方法。
【請求項９】
２以上の時点で分析を行う、請求項１記載の方法。
【請求項１０】
前記の１以上の微生物核酸の量が感染状態または治療結果の指標となる、請求項１記載の方法。
【請求項１１】
所定閾値を超える前記の１以上の核酸の量が感染状態または治療結果の指標となる、請求項１０記載の方法。
【請求項１２】
前記サンプルが、血液、血清、血漿、肺洗浄液、呼吸器分泌物、唾液、尿および糞便からなる群から選択される、請求項１記載の方法。
【請求項１３】
前記無細胞核酸が、一本鎖ＲＮＡ、二本鎖ＲＮＡおよびＲＮＡヘアピンからなる群から選択される、請求項１記載の方法。
【請求項１４】
前記無細胞核酸が、二本鎖ＤＮＡ、一本鎖ＤＮＡからなる群から選択される、請求項１記載の方法。
【請求項１５】
さらに、微生物参照配列に位置づけられる配列の被覆率を特定することを含む、請求項１記載の方法。
【請求項１６】
前記微生物参照配列が、微生物ゲノムである、請求項１５記載の方法。
【請求項１７】
さらに、微生物参照配列に位置づけられる配列の被覆率を特定すること、参照宿主配列を特定すること、またはこれらの両方を含む、請求項１記載の方法。
【請求項１８】
少なくとも１０００個の配列読取りを行う、請求項１記載の方法。
【請求項１９】
前記不偏性方法が、ユニバーサルプライマーでの増幅を行うことを含む、請求項３記載の方法。
【請求項２０】
前記不偏性方法が、前記核酸にアダプターを連結し、前記アダプターに特異的なプライマーで増幅を行うことを含む、請求項３記載の方法。
【請求項２１】
前記ミクロビオームの前記成分がウイルス成分である、請求項１記載の方法。
【請求項２２】
前記ミクロビオームの前記成分が微生物成分である、請求項１記載の方法。
【請求項２３】
前記微生物配列が、少なくとも５個の異なる標的核酸を含む、請求項１記載の方法。
【請求項２４】
前記微生物配列が、少なくとも２０個の異なる標的核酸を含む、請求項１記載の方法。
【請求項２５】
さらに、微生物のクラスの相対的な保有率を決定することを含む、請求項１記載の方法。
【請求項２６】
前記感染状態が、感染の存在または非存在である、請求項１０記載の方法。
【請求項２７】
前記１以上の微生物核酸の量が、前記感染状態を示し、前記感染状態が潜伏ウイルスの活発な感染である、請求項１０記載の方法。
【請求項２８】
前記サンプルが血清または血漿である、請求項１記載の方法。
【請求項２９】
前記バイオインフォマティクス分析の実行が、前記バイオインフォマティクス分析において用いられるデータベースから、宿主配列を差し引くことを含む、請求項１記載の方法。
【請求項３０】
前記ミクロビオームの前記成分が、寄生性である、請求項１記載の方法。
【請求項３１】
前記ミクロビオームの前記成分が、非共生性である、請求項１記載の方法。
【請求項３２】
前記ミクロビオームの前記成分が、個々の株または種である、請求項１記載の方法。
【請求項３３】
前記ミクロビオームの前記成分が、真菌成分である、請求項１記載の方法。
【請求項３４】
さらに、前記微生物配列の保有率を決定することを含む、請求項１記載の方法。
【請求項３５】
前記無細胞核酸が、血漿中にある、請求項１記載の方法。
【請求項３６】
前記ミクロビオームの前記成分が、病原性生物を含む、請求項１記載の方法。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
対象のバイタルサイン情報を決定するシステムであって、
前記対象への適用のためのマーカーであって、前記対象の生理的処理によりもたらされる前記マーカーの機械的な操作が原因で、光学特性を変化させるよう構成される、マーカーと、
前記マーカーから放射線を検出する検出ユニットと、
前記検出された放射線から前記対象のバイタルサイン情報を決定する分析ユニットとを有する、システム。
【請求項２】
前記マーカーの変化する光学特性が、反射率及び／又は色である、請求項１に記載のシステム。
【請求項３】
前記マーカーが、パッチである、請求項１に記載のシステム。
【請求項４】
前記マーカーが、前記対象の鼻及び／又は口の領域に適用されるよう構成される、請求項１に記載のシステム。
【請求項５】
前記マーカーの表面が、前記表面から突出するフィラメントを有する、請求項１に記載のシステム。
【請求項６】
前記フィラメントが、第１の光学特性を持つ第１の表面及び第２の光学特性を持つ第２の表面を有する、請求項５に記載のシステム。
【請求項７】
前記検出ユニットが、画像センサ又はカメラを有する、請求項１に記載のシステム。
【請求項８】
前記検出ユニットが、非可視放射線を検出するよう構成される、請求項１に記載のシステム。
【請求項９】
前記マーカーが、スペクトルの非可視部分において光学特性を変化させるよう構成される、請求項８に記載のシステム。
【請求項１０】
前記分析ユニットが、時間にわたり前記検出された放射線を評価するよう構成される、請求項１に記載のシステム。
【請求項１１】
前記マーカーが、前記対象の呼吸に基づき光学特性を変化させるよう構成され、前記分析ユニットは、タイダルボリュームに関する情報を得るよう構成される、請求項１０に記載のシステム。
【請求項１２】
前記マーカーが、前記マーカーを追跡するため、参照のため、夜での測定のため、及び情報符号化のための光学特徴を含む一群の特徴の前記検出ユニットによる検出に関する１つ又は複数の追加的な光学特徴を有する、請求項１に記載のシステム。
【請求項１３】
請求項１に記載のシステムに用いられるデバイスであって、
対象への適用のためのマーカーから放射線を検出する検出ユニットであって、前記マーカーが、前記対象の生理的処理によりもたらされる前記マーカーの機械的な操作が原因で、光学特性を変化させる、検出ユニットと、
前記検出された放射線から前記対象のバイタルサイン情報を決定する分析ユニットとを有する、デバイス。
【請求項１４】
請求項１に記載のシステムに用いられるマーカーであって、対象への適用のために構成され、前記対象の生理的処理によりもたらされる前記マーカーの機械的な操作が原因で光学特性を変化させるよう構成される、マーカー。
【請求項１５】
対象のバイタルサイン情報を決定する方法において、
マーカーから放射線を検出するステップであって、前記マーカーが、前記対象に適用され、前記マーカーは、前記対象の生理的処理によりもたらされる前記マーカーの機械的な操作が原因で光学特性を変化させるよう構成される、ステップと、
前記検出された放射線から前記対象の前記バイタルサイン情報を決定するステップとを有する、方法。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
少なくとも1つの身体機能測定値を得るためのモバイルデバイスであって、
ユーザが持ち運びできるようなサイズに構成される外装体と、
前記外装体内に収容されるプロセッサと、
前記外装体に物理的に結合され、前記プロセッサによってアクセス可能なデータを得るための複数のセンサとを備え、
前記センサのうちの1つまたは複数のセンサは、ユーザアクションに応答して血液量を示す第1の測定値を得るように構成され、前記第1の測定値を得るように構成される前記センサのうちの少なくとも1つは、前記外装体に結合される多機能コンタクトボタン内に収容され、
前記センサのうちの1つまたは複数が、ユーザアクションに応答して心臓の電気的活動を示す第2の測定値を得るように構成され、
前記多機能コンタクトボタンは、第1の測定値または第2の測定値およびユーザ入力を得るために使用され、
前記プロセッサは、前記第1の測定値および前記第2の測定値に基づいて、血圧測定値の生成を支援するように構成される、少なくとも1つの身体機能測定値を得るためのモバイルデバイス。
【請求項２】
主要機能および補助機能を実行するように構成され、前記プロセッサは、前記モバイルデバイスの前記補助機能として前記血圧測定値の生成を支援するように構成される、請求項1に記載のモバイルデバイス。
【請求項３】
血液量を示す前記第1の測定値は、光電式容積脈波記録法(PPG)測定値を含む、請求項1に記載のモバイルデバイス。
【請求項４】
心臓の電気的活動を示す前記第2の測定値は、心電図記録法(ECG)測定値を含む、請求項1に記載のモバイルデバイス。
【請求項５】
血液量を示す前記第1の測定値を得るように構成される前記センサのうちの1つまたは複数は少なくとも1つの光センサを備え、前記モバイルデバイスは少なくとも1つの光源をさらに備え、前記少なくとも1つの光センサは、前記モバイルデバイスのユーザ内の血管から反射された前記光源からの反射光を測定し、前記第1の測定値を得る、請求項1に記載のモバイルデバイス。
【請求項６】
前記少なくとも1つの光源は赤外線(IR)発光ダイオード(LED)を含む、請求項5に記載のモバイルデバイス。
【請求項７】
心臓の電気的活動を示す前記第2の測定値を得るように構成される前記センサのうちの1つまたは複数は、少なくとも第1の電極および第2の電極を備え、モバイルデバイスのユーザの身体の部分が前記第1の電極と前記第2の電極との間の回路を完成させる、請求項1に記載のモバイルデバイス。
【請求項８】
前記モバイルデバイスは、スマートフォンデバイスまたは腕時計のうちの少なくとも1つである、請求項1に記載のモバイルデバイス。
【請求項９】
前記センサのうちの少なくとも1つは多機能表面に組み込まれ、前記多機能表面は、前記第1の測定値または前記第2の測定値およびユーザ入力を得るように構成される、請求項1に記載のモバイルデバイス。
【請求項１０】
モバイルデバイスを介して少なくとも1つの身体機能測定値を得るための方法であって、
前記モバイルデバイスの外装体に物理的に結合される複数のセンサを介して、ユーザアクションに応答して血液量を示す第1の測定値を得るステップであって、前記センサのうちの少なくとも1つは前記外装体に結合される多機能コンタクトボタン内に収容される、第1の測定値を得るステップと、
前記複数のセンサを介して、ユーザアクションに応答して心臓の電気的活動を示す第2の測定値を得るステップと、
前記モバイルデバイスのプロセッサを介して、前記第1の測定値および前記第2の測定値に基づいて血圧測定値の生成を支援するステップであって、前記プロセッサは、前記モバイルデバイスの前記外装体内に収容され、前記外装体はユーザが持ち運ぶことができるようなサイズに構成される、支援するステップとを含み、
前記多機能コンタクトボタンは、第1の測定値または第2の測定値およびユーザ入力を得るために使用される、モバイルデバイスを介して少なくとも1つの身体機能測定値を得るための方法。
【請求項１１】
前記モバイルデバイスは、主要機能および補助機能を実行するように構成され、前記支援するステップは、前記モバイルデバイスの前記補助機能として実行される、請求項10に記載の方法。
【請求項１２】
血液量を示す前記第1の測定値は、光電式容積脈波記録法(PPG)測定値を含む、請求項10に記載の方法。
【請求項１３】
心臓の電気的活動を示す前記第2の測定値は、心電図記録法(ECG)測定値を含む、請求項10に記載の方法。
【請求項１４】
前記複数のセンサは少なくとも1つの光センサを備え、前記モバイルデバイスは少なくとも1つの光源を備え、血液量を示す前記第1の測定値を得るステップは、前記少なくとも1つの光センサを介して、前記モバイルデバイスのユーザ内の血管から反射された前記光源からの反射光を測定し、前記第1の測定値を得るステップを含む、請求項10に記載の方法。
【請求項１５】
前記少なくとも1つの光源は赤外線(IR)発光ダイオード(LED)を含む、請求項14に記載の方法。
【請求項１６】
前記複数のセンサは少なくとも第1の電極および第2の電極を備え、心臓の電気的活動を示す前記第2の測定値を得るステップは、前記ユーザの身体の部分を介して前記第1の電極と前記第2の電極との間の回路の完成を検出するステップを含む、請求項10に記載の方法。
【請求項１７】
前記モバイルデバイスは、スマートフォンデバイスまたは腕時計のうちの少なくとも1つである、請求項10に記載の方法。
【請求項１８】
前記センサのうちの少なくとも1つは多機能表面に組み込まれ、前記多機能表面は、前記第1の測定値または前記第2の測定値およびユーザ入力を得るように構成される、請求項10に記載の方法。
【請求項１９】
平面オブジェクトの表現を構築するためのコンピュータ実行可能命令を記憶する1つまたは複数のコンピュータ可読記憶媒体であって、前記命令は、実行されると、モバイルデバイス内に収容される1つまたは複数のコンピューティングデバイスに、請求項10から18のいずれか一項に記載の方法を実行させる、1つまたは複数のコンピュータ可読記憶媒体。
【手続補正書】
【提出日】平成29年11月2日(2017.11.2)
【手続補正１】
【補正対象書類名】明細書
【補正対象項目名】００６０
【補正方法】変更
【補正の内容】
【００６０】
駆動ナット２３は、可撓性のフィンガ３６およびクリッカ歯３５を有する円筒形の管状本体を含む。駆動ナット２３の遠位領域は、内部ねじ切り部３７を有するように形成され、内部ねじ切り部３７は、親ねじ２２上のねじ切り部３３に摩擦ロックまたは自己ロックでねじ係合する。ねじ切り部３３および３７は２条ねじとして示すが、１条ねじまたは別の複数条のねじなど、異なる形で形成しながら、それでもなお適した摩擦ロック能力を提供することができる。駆動ナット２３は、内側スリーブ２９内に位置し、内側スリーブに軸方向に固定されるが、回転方向には固定されない。用量設定中に駆動ナット２３が内側スリーブ２９に対して回転させられるとき、クリッカ歯３５は、内側スリーブ２９の内側に径方向に突出する可撓アーム３８に、ラチェットにより係合する。駆動ナットが回転するとき、可撓アームは歯３５を載り越えて、可聴のクリックノイズを生み出す。歯は、各クリックが設定中の１つの用量体積に等しくなるように構成される。１つの可撓クリッカアームだけを設けることができるが、３つまたは４つの等しく角度的に隔置されたアームの使用は、内側スリーブ２９内での駆動ナット２３の中心合わせを助ける。ねじ切り部３７の近位側に位置する駆動ナット本体２３の中空の内部は、親ねじ２２の近位端の自由な通過を可能にする。駆動ナット２３の外面は、ダイヤルリンク２５に協働係合するように設計され、その結果、ダイヤルリンクは、駆動ナット２３に対して軸方向には自由になり、回転可能または回転方向には固定される。したがって、使用中、ダイヤルリンクは、軸方向にはねじ付駆動ナットに対して可動であるが、回転可能または回転方向にはねじ付駆動ナットに対してロックされる。この連結は、駆動ナット２３上の近位側へ延びるフィンガ３６とダイヤルリンク２５の遠位側へ延びるフィンガとの協調のために可能である。用量設定中、ダイヤルリンクに固定された用量ノブ２８を回すことによってダイヤルリンクが回転させられるとき、これらの２組のフィンガ３６、４３は、軸方向には互いに対して動くが、回転方向には互いに係合する。駆動ナット２３は、一体のプラスチック射出成形物として示すが、他の構造も本発明の範囲内である。
【手続補正２】
【補正対象書類名】明細書
【補正対象項目名】００６５
【補正方法】変更
【補正の内容】
【００６５】
内側スリーブ２９がプラスチックから射出成形され、内側スリーブ２９は、数字スリーブ２４の中空の内部６５内へ嵌る管状の本体を含む。内側スリーブは、その外面上に、数字スリーブの内面上の内部ねじ切り部６７に係合するつる巻き状のねじ切り部７５を有する。ねじ切り部６７および７５を１条ねじとして示すが、異なる形で形成することもできる。ねじ切り部に対応して部分的につる巻き状に成形された内側スリーブ２４の端部の最近位部分は、軸方向に突出する歯７６の部分的なリングを形成するようにノッチが付けられ、歯７６は、ダイヤルリンクの遠位向きの歯３９と噛み合うとき、ダイヤルリンクおよび内側スリーブをともに回転可能にまたは回転方向にロックするように働く。内側スリーブ２９が、本体４に軸方向および回転方向に固定された中間中央部２０を通って、ペン本体４にキー止めされる。図５に示すように、内側スリーブ２９の遠位端または部分８４は、内側スリーブの周辺部上に１対の隆起が画成されたスロット７７を有し、スロット７７は、中央部２０から径方向に内向きに突出するラグ７８を軸方向に摺動可能に受ける。前述のように、内側スリーブ２９の遠位部分８４は、用量終了連結の第１のセクション８３を収容し、用量終了連結は、薬物送達デバイスがゼロ用量設定または注射行程終了位置にあるとき、中央部２０上に位置する第２のセクション８１が第１のセクションに接合されたときに形成される。薬物送達デバイスのゼロ用量設定状態とは、用量ノブおよび数字スリーブを遠位側へ押し込むことによって、薬剤の事前設定された用量がカートリッジから完全に送達または排出され、その結果、数字スリーブがその最初の開始位置に戻り、窓５１を通して見える用量値がゼロ（「０」）になったときである。別法として、使用者がゼロより大きい用量をダイヤル設定し、次いで注射を実行しないと決め、代わりにダイヤルで用量を減らし、または用量ノブを回転させて数字スリーブを開始位置もしくは最初の位置に戻すことによって、用量を取り消した場合、ゼロ用量設定位置に到達することができ、この位置で、窓５１を通して見える用量値がゼロ（「０」）になる。
【手続補正書】
【提出日】平成29年11月6日(2017.11.6)
【手続補正１】
【補正対象書類名】明細書
【補正対象項目名】００６２
【補正方法】変更
【補正の内容】
【００６２】
駆動ナット２３は、可撓性のフィンガ３６およびクリッカ歯３５を有する円筒形の管状本体を含む。駆動ナット２３の遠位領域は、内部ねじ切り部３７を有するように形成され、内部ねじ切り部３７は、親ねじ２２上のねじ切り部３３に摩擦ロックまたは自己ロックでねじ係合する。ねじ切り部３３および３７は２条ねじとして示すが、１条ねじまたは別の複数条のねじなど、異なる形で形成しながら、それでもなお適した摩擦ロック能力を提供することができる。駆動ナット２３は、内側スリーブ２９内に位置し、内側スリーブに軸方向に固定されるが、回転方向には固定されない。用量設定中に駆動ナット２３が内側スリーブ２９に対して回転させられるとき、クリッカ歯３５は、内側スリーブ２９の内側に径方向に突出する可撓アーム３８に、ラチェットにより係合する。駆動ナットが回転するとき、可撓アームは歯３５を載り越えて、可聴のクリックノイズを生み出す。歯は、各クリックが設定中の１つの用量体積に等しくなるように構成される。１つの可撓クリッカアームだけを設けることができるが、３つまたは４つの等しく角度的に隔置されたアームの使用は、内側スリーブ２９内での駆動ナット２３の中心合わせを助ける。ねじ切り部３７の近位側に位置する駆動ナット本体２３の中空の内部は、親ねじ２２の近位端の自由な通過を可能にする。駆動ナット２３の外面は、ダイヤルリンク２５に協働係合するように設計され、その結果、ダイヤルリンクは、駆動ナット２３に対して軸方向には自由になり、回転可能または回転方向には固定される。したがって、使用中、ダイヤルリンクは、軸方向にはねじ付駆動ナットに対して可動であるが、回転可能または回転方向にはねじ付駆動ナットに対してロックされる。この連結は、駆動ナット２３上の近位側へ延びるフィンガ３６とダイヤルリンク２５の遠位側へ延びるフィンガとの協調のために可能である。用量設定中、後述する第２のクラッチ機能によってダイヤルリンクに連結された用量ノブ２８を回すことによってダイヤルリンクが回転させられるとき、これらの２組のフィンガ３６、４３は、軸方向には互いに対して動くが、回転方向には互いに係合する。駆動ナット２３は、一体のプラスチック射出成形物として示すが、他の構造も本開示の範囲内である。
【手続補正２】
【補正対象書類名】明細書
【補正対象項目名】００６８
【補正方法】変更
【補正の内容】
【００６８】
内側スリーブ２９がプラスチックから射出成形され、内側スリーブ２９は、数字スリーブ２４の中空の内部６５内へ嵌る管状の本体を含む。内側スリーブ２９は、その外面上に、数字スリーブの内面上の内部ねじ切り部６７に係合するつる巻き状のねじ切り部７５を有する。ねじ切り部６７および７５を１条ねじとして示すが、異なる形で形成することもできる。ねじ切り部に対応して部分的につる巻き状に成形された内側スリーブ２９の端部の最近位部分は、軸方向に突出する歯７６の部分的なリングを形成するようにノッチが付けられ、歯７６は、ダイヤルリンクの遠位向きの歯３９と噛み合うとき、ダイヤルリンクおよび内側スリーブをともに回転方向または回転可能にロックするように働く。内側スリーブ２９が、本体４に軸方向および回転方向に固定された中央部２０を通って、ペン本体４にキー止めされる。内側スリーブ２９の遠位端は、内側スリーブの周辺部上に１対の隆起が画成されたスロット７７を有し、スロット７７は、中央部２０から径方向に内向きに突出するラグ７８を軸方向に摺動可能に受ける。内側スリーブ２９内へ成形された開口部は、径方向に内向きに突出する歯を有する４つの弾性フィンガ３８を画成し、弾性フィンガ３８は、径方向に突出する歯または隆起３５を有する駆動ナット２３の遠位端内の凹部内へ突出するような軸方向の向きおよび形状を有し、その結果、内向きに突出する歯は、用量設定中にどちらの回転方向でも歯３５を越えてクリック音を立てる。歯を有するフィンガ３８は、駆動ナット２３上の凹部と協働して、ナットが製造中に内側スリーブに組み立てられた後に内側スリーブから外れるのを妨げる。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
喫煙物品（１０１，１０２）であって、
エアロゾル形成基体（１０６，１１１）と、
前記エアロゾル形成基体を加熱するが燃焼はしないように構成された発熱体（１０４，１１３）と、
前記エアロゾル形成基体に追加される風味前駆体化合物であって、前記風味前駆体化合物が、前記発熱体による前記エアロゾル形成基体の加熱に伴い、チオール含有風味化合物を放出するものとを含む、喫煙物品。
【請求項２】
前記チオール含有風味化合物が硫化水素またはメタンチオールである、請求項１に記載の喫煙物品。
【請求項３】
前記風味前駆体化合物が次の構造を持つ、請求項１または２に記載の喫煙物品。
【化１】
2017500002.tif 000001
（Ｉ）、
式中、
Ｒ1はＯＨまたはアミノ酸残基であり、
Ｒ2はＨ、Ｃ（Ｏ）ＣＨ3、またはアミノ酸残基であり、
Ｒ3はＨまたはＣ１−Ｃ３非置換型アルキルであり、
Ｒ4は随意で、存在する場合にはＣ１−Ｃ３非置換型アルキルであり、
ｘは１〜３の整数である。
【請求項４】
前記風味前駆体化合物が次の構造を持つ、請求項１または２に記載の喫煙物品。
【化２】
2017500002.tif 000002
（ＩＩ）
式中、
Ｒ1はＯＨまたはアミノ酸残基であり、
Ｒ2はＨ、Ｃ（Ｏ）ＣＨ3、またはアミノ酸残基であり、
Ｒ3がＨ、Ｃ１−Ｃ３非置換型アルキルまたはシステイン残基であり、
ｘは１〜３の整数である。
【請求項５】
Ｒ1がＯＨまたはグリシン残基、Ｒ2がＨ、Ｃ（Ｏ）ＣＨ3、またはグルタミン酸残基、Ｒ3がＨまたはＣＨ3、ｘが１または２である、請求項４に記載の喫煙物品。
【請求項６】
前記風味前駆体化合物が次の構造を持つ、請求項１または２に記載の喫煙物品。
【化３】
2017500002.tif 000003
（ＩＩＩ）
式中、
Ｒ1はＯＨまたはアミノ酸残基であり、
Ｒ2はＨ、Ｃ（Ｏ）ＣＨ3、またはアミノ酸残基であり、
ｘは１〜３の整数である。
【請求項７】
Ｒ1がＯＨまたはグリシン残基、Ｒ2がＨ、Ｃ（Ｏ）ＣＨ3、またはグルタミン酸残基、およびｘが１または２である、請求項６に記載の喫煙物品。
【請求項８】
前記風味前駆体化合物が次の構造を持つ、請求項１または２に記載の喫煙物品。
【化４】
2017500002.tif 000004
（ＩＶ）
式中、
Ｒ1はＯＨまたはアミノ酸残基であり、
Ｒ2はＨ、Ｃ（Ｏ）ＣＨ3、またはアミノ酸残基である。
【請求項９】
Ｒ1がＯＨまたはグリシン残基、Ｒ2がＨ、Ｃ（Ｏ）ＣＨ3、またはグルタミン酸残基である、請求項８に記載の喫煙物品。
【請求項１０】
前記風味前駆体化合物がシステイン残基を含む、請求項１または２に記載の喫煙物品。
【請求項１１】
前記風味前駆体化合物が、システイン、シスチン、グルタチオン、メチオニン、ＤＬメチオニンメチルスルホニウム、Ｎ−アセチルシステイン、Ｓ−メチルシステイン、ＤＬ−ホモシステイン、Ｎ−アセチルメチオニン、ファルネシル−Ｍｅｔ−Ｏｍｅ、アルブミンおよび２−ヒドロキシ−４−（メチルチオ）酪酸から構成される群から選択される、請求項１または２に記載の喫煙物品。
【請求項１２】
前記エアロゾル形成基体がたばこを含む、請求項１〜１１のいずれか１項に記載の喫煙物品。
【請求項１３】
前記たばこおよび前記風味前駆体化合物の加熱の結果、フルフリルチオールが生成される、請求項１２に記載の喫煙物品。
【請求項１４】
前記風味前駆体化合物が硫化水素またはメタンチオールを約２００℃〜約４５０℃の温度で放出するよう構成された、請求項１〜１３のいずれか１項に記載の喫煙物品。
【請求項１５】
ニコチンまたはニコチン源をさらに含む、請求項１〜１４のいずれか１項に記載の喫煙物品。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
密閉手段によって密閉された複数の密閉チャンバ（１）から複数の受容器（３０１）まで、少なくとも１つの生体材料を汚染されずに搬送する搬送装置（１００，２００）であって、
前記搬送装置（１００，２００）は、第１の結合領域（１０３，２０３）と第２の結合領域（１０４，２０４）とを有する支持部（１０２，２０２）を備え、
前記第１の結合領域（１０３，２０３）は、複数の入口ポート（１０８，２０８）を有し、各入口ポート（１０８，２０８）は、前記複数の密閉チャンバ（１）のうち１つと流体接続を形成するように設計されており、
前記第２の結合領域（１０４，２０４）は、複数の出口ポート（１１３，２１３）を有し、各出口ポート（１１３，２１３）は、前記複数の受容器（３０１）のうち１つと流体接続を形成するように設計されており、
前記複数の入口ポート（１０８，２０８）のうちそれぞれ１つの入口ポートが前記複数の出口ポート（１１３，２１３）のうちちょうど１つの出口ポートと流体接続されるようになっており、
複数の穿孔手段をさらに備え、各穿孔手段は、前記複数の密閉チャンバ（１）のうち１つの密閉チャンバの密閉手段に孔を開けるように設計されている、搬送装置において、
当該搬送装置（１００，２００）は、
前記複数の密閉チャンバ（１）が、前記複数の入口ポート（１０８，２０８）のそれぞれの入口ポートと流体接続するとき、及び前記複数の受容器（３０１）が、前記複数の出口ポート（１１３，２１３）のそれぞれの出口ポートと流体接続するとき、複数の明確な流体接続が形成されるように、適応されており、前記明確な流体接続はそれぞれ、１つの密閉チャンバ（１）、前記密閉チャンバ（１）の前記密閉手段に孔を開けた１つの穿孔手段、１つの入口ポート（１０８，２０８）、１つの出口ポート（１１３，２１３）、及び１つの受容器（３０１）の間に及ぶことを特徴とする搬送装置（１００，２００）。
【請求項２】
前記第１の結合領域（１０３，２０３）および／または前記第２の結合領域（１０４，２０４）は、それぞれ、複数の密閉チャンバ（１）および／または複数の受容器（３０１）と結合されるように設計されている、請求項１記載の搬送装置（１００，２００）。
【請求項３】
前記第１の結合領域（１０３，２０３）は、複数の密閉チャンバ（１）を有するプラットフォーム（１０６）を収容するスロット（１０５，２０５）をさらに備える、請求項１または２記載の搬送装置（１００，２００）。
【請求項４】
少なくとも複数の付加的な容器（１２９）をさらに備え、
各付加的な容器（１２９）は、各付加的な容器（１２９）に入れられている流体を、孔が開けられた１つの密閉チャンバまで搬送するために、１つの穿孔手段によって孔が開けられた前記密閉チャンバ（１）と流体接続して配置されるように設計されている、請求項１から３までのいずれか１項記載の搬送装置（１００，２００）。
【請求項５】
前記穿孔手段は、各付加的な容器（１２９）から、１つの穿孔手段によって孔が開けられた前記密閉チャンバ（１）までの前記流体の前記搬送を開始させる、請求項４記載の搬送装置（１００，２００）。
【請求項６】
流体移動手段をさらに備え、
該流体移動手段は、前記密閉チャンバ（１）が１つの入口ポート（１０８，２０８）と流体接続状態にあるときに、１つの密閉チャンバ（１）に入れられている液体を１つの出口ポート（１１３，２１３）の方へ移動させる、請求項１から５までのいずれか１項記載の搬送装置（１００，２００）。
【請求項７】
前記搬送装置（１００，２００）はさらに、ＰＣＲ増幅によって得られた生体材料を、前記複数の密閉チャンバ（１）から搬送するように設計されている、請求項１から６までのいずれか１項記載の搬送装置（１００，２００）。
【請求項８】
前記密閉手段は箔（１０７）であり、前記複数の穿孔手段は、少なくとも前記箔（１０７）に孔を開けるように設計されている、請求項１から７までのいずれか１項記載の搬送装置（１００，２００）。
【請求項９】
前記搬送装置（１００，２００）は、搬送される前記生体材料を浄化する浄化手段をさらに備える、請求項１から８までのいずれか１項記載の搬送装置（１００，２００）。
【請求項１０】
少なくとも複数の密閉チャンバ（１）から少なくとも複数の受容器（３０１）まで、少なくとも１つの生体材料を汚染されずに搬送するためのキットであって、
当該キットは、請求項１から９までのいずれか１項記載の少なくとも１つの搬送装置（１００，２００）と、該搬送装置（１００，２００）に接続されるように設計された少なくとも１つの受容器（３０１）と、を含むことを特徴とするキット。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
目における眼圧（ＩＯＰ）を低減するための生分解性眼内インプラントであって、
生分解性ポリマーマトリクス、ポリエチレングリコール３３５０、及び活性薬剤としてのプロスタミドを含み、前記プロスタミド及びポリエチレングリコール３３５０が前記生分解性ポリマーマトリクスと関連し、前記生分解性ポリマーマトリクスが、
ａ）０．２５〜０．３５ｄｌ／ｇの固有粘度を有するエステル末端ポリ（Ｄ，Ｌ−ラクチド）、
ｂ）０．１６〜０．２４ｄｌ／ｇの固有粘度を有する酸末端ポリ（Ｄ，Ｌ−ラクチド）、並びに
ｃ）０．１６〜０．２４ｄｌ／ｇの固有粘度及び約７５：２５のグリコリドに対するＤ，Ｌ−ラクチドのモル比を有するエステル末端（Ｄ，Ｌ−ラクチド−グリコリド）共重合体
を含み、
前記プロスタミドが前記インプラントの１８〜２２重量％を構成し、前記エステル末端ポリ（Ｄ，Ｌ−ラクチド）が前記インプラントの１８〜２２重量％を構成し、前記酸末端ポリ（Ｄ，Ｌ−ラクチド）が前記インプラントの１３．５〜１６．５重量％を構成し、前記エステル末端（Ｄ，Ｌ−ラクチド−グリコリド）共重合体が前記インプラントの３６〜４４重量％を構成し、
前記ポリエチレングリコール３３５０が前記インプラントの３．５〜６．５重量％を構成し、
但し、前記ポリ（Ｄ，Ｌ−ラクチド）及び（Ｄ，Ｌ−ラクチド−グリコリド）共重合体ポリマーのそれぞれの固有粘度が、当該ポリマーの０．１％クロロホルム溶液に対して２５℃で測定される、前記インプラント。
【請求項２】
前記プロスタミドが前記インプラントの２０重量％を構成し、前記エステル末端ポリ（Ｄ，Ｌ−ラクチド）が前記インプラントの２０重量％を構成し、前記酸末端ポリ（Ｄ，Ｌ−ラクチド）が前記インプラントの１５重量％を構成し、前記エステル末端（Ｄ，Ｌ−ラクチド−グリコリド）共重合体が前記インプラントの４０重量％を構成し、前記ポリエチレングリコール３３５０が前記インプラントの５重量％を構成する、請求項１に記載の生分解性眼内インプラント。
【請求項３】
ロッド形状であり、加熱溶融押出プロセスによって成形され、径または幅が１５０μｍ〜３００μｍ、長さが０．５０ｍｍ〜２．５ｍｍ、全重量が３０μｇ〜１００μｇである、請求項１または２に記載のインプラント。
【請求項４】
目の前房内への配置後に角膜内皮に接触しない、請求項１〜３のいずれか１項に記載のインプラント。
【請求項５】
目の中への配置後２ヶ月以上、当該の目における眼圧の低減に有効である、請求項１〜４のいずれか１項に記載のインプラント。
【請求項６】
前記プロスタミドが式（Ｉ）
【化１】
2017500282.tif 000001
式中、
破線の結合は、単結合またはｃｉｓ若しくはｔｒａｎｓ配座であることができる二重結合を表わし、
Ａは、１または複数のオキシド基が間に挿入されていてもよく、１または複数のヒドロキシ、オキソ、アルキルオキシまたはアルキルカルボキシ基、但し、前記アルキル基は１〜６の炭素原子を含む、によって置換されていてもよい、２〜６の炭素原子を有するアルキレンまたはアルケニレン基であり、
Ｂは３〜７の炭素原子を有するシクロアルキル基、またはヒドロカルビルアリール及び、４〜１０の炭素原子を有する複素アリール基であって、複素原子が窒素、酸素及びイオウ原子からなる群より選択される前記複素アリール基からなる群より選択されるアリール基であり、
Ｘは−Ｎ（Ｒ4）2、但し、Ｒ4は水素及び１〜６の炭素原子を有する低級アルキル基からなる群より独立に選択される、であり
Ｚは＝Ｏであり、
Ｒ1及びＲ2の一方は＝Ｏ、−ＯＨ若しくは−Ｏ（ＣＯ）Ｒ6基であり、且つＲ1及びＲ2の他方は−ＯＨ若しくは−Ｏ（ＣＯ）Ｒ6基であるか、あるいはＲ1は＝Ｏ、且つＲ2はＨ、但し、Ｒ6は１〜約２０の炭素原子を有する飽和若しくは不飽和の非環状炭化水素基、または−（ＣＨ2）ｍＲ7、但し、ｍは０若しくは１〜１０の整数、Ｒ7は３〜７の炭素原子を有するシクロアルキル基、またはヒドロカルビルアリール若しくは前記に定義した複素アリール基である
を有する化合物である、請求項１〜５のいずれか１項に記載のインプラント。
【請求項７】
前記プロスタミドがビマトプロストである、請求項１〜５のいずれか１項に記載のインプラント。
【請求項８】
哺乳動物の目における眼圧を低減する為の請求項１または２に記載の生分解性眼内インプラントであって、前記インプラントが、前記目における眼圧を低減するために有効な量でプロスタミドを前記目に提供する、前記インプラント。
【請求項９】
前記哺乳動物が、眼圧亢進、高眼圧症、または緑内障を有するヒトの患者である、請求項８に記載のインプラント。
【請求項１０】
前記患者の目の前房内に配置される、請求項８または９に記載のインプラント。
【請求項１１】
目の前房内への配置後少なくとも２ヶ月の間、目における眼圧の低減に有効である、請求項８〜１０のいずれか１項に記載のインプラント。
【請求項１２】
前記プロスタミドがビマトプロストである、請求項８〜１１のいずれか１項に記載のインプラント。
【請求項１３】
押出プロセスによって成形され、径または幅が１５０〜３００μｍ、長さが０．５０〜２．５ｍｍ、全重量が３０〜１００μｇである、請求項８〜１２のいずれか１項に記載のインプラント。
【請求項１４】
目の前房内に配置後に角膜内皮に接触しない、請求項８〜１３のいずれか１項に記載のインプラント。
【請求項１５】
前記インプラントが眼内送達装置を用いて目（複数可）の中に配置され、
前記装置は細長い筐体及び前記筐体から長手方向に延在するカニューレを備え、
前記カニューレは近位端及び鋭利な遠位端を有し、且つ当該カニューレに沿って延在する内腔を有し、
前記内腔は、前記インプラントを受け入れるため、及び該インプラントが該内腔を通って患者の目の中へと並進移動することを可能にするために十分な内径を有する、請求項８〜１４のいずれか１項に記載のインプラント。
【請求項１６】
生分解性眼内インプラントの患者の目の中への送達装置であって、
請求項１に記載の眼内インプラント、細長い筐体及び前記筐体から長手方向に延在するカニューレを備え、
前記カニューレは近位端、鋭利な遠位端、及び当該カニューレに沿って延在する内腔を有し、
前記内腔は、前記インプラントを受け入れるため、及び該インプラントが該内腔を通って患者の目の中へと並進移動することを可能にするために十分な内径を有する、前記送達装置。
【請求項１７】
前記カニューレが２５ゲージ、２６ゲージ、２７ゲージ、２８ゲージ、２９ゲージ、または３０ゲージの針である、請求項１６に記載の装置。
【請求項１８】
請求項１に記載の生分解性眼内インプラントの製造方法であって、
前記プロスタミドを前記ポリ（Ｄ，Ｌ−ラクチド）及び（Ｄ，Ｌ−ラクチド−グリコリド）共重合体ポリマー並びにポリエチレングリコール３３５０と混合することと、
前記混合物を押出してフィラメントを成形することと、それに続いて前記フィラメントを眼の前房または硝子体内への配置に適した長さに切断し、それによって眼内インプラントを成形することとを含む、前記製造方法。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
神経の再生又は神経損傷部位の神経変性を減ずる薬剤であって、損傷神経、神経再生若しくは神経変性に対し若しくはその近辺に、ホスファターゼ及びテンシン同族体(PTEN)脂質ホスファターゼ阻害ペプチドの有効量を投与することを特徴とする、薬剤。
【請求項２】
PTENペプチド性阻害剤が、リン酸化部位のセリン若しくはスレオニンが燐酸化されるように、リン酸化部位が修飾されている修飾PTENペプチド若しくは断片である、請求項１の薬剤。 
【請求項３】
燐酸化セリン若しくはスレオニンは、位置Thr-366、Ser-370、Ser-380、Thr-382、Thr-383あるいはSer-385に位置する、請求項１の薬剤。
【請求項４】
燐酸化セリン若しくはスレオニンは、位置Ser-370、Ser-380及び/又はSer-385に位置する、請求項１の薬剤。
【請求項５】
燐酸化セリン若しくはスレオニンは、位置Ser-370、Ser-380及びSer-385に位置する、請求項３の薬剤。
【請求項６】
燐酸化セリン若しくはスレオニンは、位置Ser-380及びSer-385に位置する、請求項３の薬剤。
【請求項７】
ペプチドが、リン酸化部位及び/又はPDZドメイン結合モチーフのペプチド断片である、請求項１の薬剤。
【請求項８】
ペプチドが、さらにペプチド・トランスファードメイン(PTD)を含む、請求項１の薬剤。
【請求項９】
神経損傷が、中枢神経系である、請求項１の薬剤。
【請求項１０】
以下から選ばれるホスファターゼ及びテンシン同族体(PTEN)脂質ホスファターゼ活性を阻害するペプチド；
１）ペプチドが、酸化部位のセリン若しくはスレオニンが燐酸化されるように、リン酸化部位が修飾されている修飾PTENペプチド若しくは断片である。
２）燐酸化セリン若しくはスレオニンは、位置Thr-366、Ser-370、Ser-380、Thr-382、Thr-383あるいはSer-385に位置する、ペプチドが、酸化部位のセリン若しくはスレオニンが燐酸化されるように、リン酸化部位が修飾されている修飾PTENペプチド若しくは断片である。
３）燐酸化セリン若しくはスレオニンは、位置Ser-370、Ser-380及び/又はSer-385に位置する、ペプチドが、酸化部位のセリン若しくはスレオニンが燐酸化されるように、リン酸化部位が修飾されている修飾PTENペプチド若しくは断片である。
４）燐酸化セリン若しくはスレオニンは、位置Ser-370、Ser-380及びSer-385に位置する、ペプチドが、酸化部位のセリン若しくはスレオニンが燐酸化されるように、リン酸化部位が修飾されている修飾PTENペプチド若しくは断片である。。
５）燐酸化セリン若しくはスレオニンは、位置Ser-380及びSer-385に位置する、ペプチドが、酸化部位のセリン若しくはスレオニンが燐酸化されるように、リン酸化部位が修飾されている修飾PTENペプチド若しくは断片である。。
６）ペプチドが、リン酸化部位及び/又はPDZドメイン結合モチーフのペプチド断片である、ペプチドが、酸化部位のセリン若しくはスレオニンが燐酸化されるように、リン酸化部位が修飾されている修飾PTENペプチド若しくは断片である。。
７）ペプチドが、酸化部位のセリン若しくはスレオニンが燐酸化されるように、リン酸化部位が修飾されている修飾PTENペプチド若しくは断片であり、ペプチドが、さらにペプチド・トランスファードメイン(PTD)を含む。
【請求項１１】
神経細胞を、ホスファターゼ及びテンシン同族体(PTEN)脂質ホスファターゼ阻害ペプチドと接触させることを含む、神経細胞の、成長、増殖若しくは細胞活性の増強方法。